(57)【要約】【課題】部品点数を多くすることなく、反射ミラーを保持するリアプロジェクション表示装置を提供する。【解決手段】リアプロジェクション表示装置は、入射された映像光線を総て斜め下方向に向けて反射する大型反射ミラー１０ｄを備える。大型反射ミラー１０ｄで反射された映像光線が投影されるスクリーン１０ｅを備える。スクリーン１０ｅの背面に配置された筐体１０ｈを備える。大型反射ミラー１０ｄは、スクリーン１０ｅと筐体１０ｈとによって保持される。【選択図】図４
2007316464.tif 000002
【特許請求の範囲】
【請求項１】
入射された映像光線を総て斜め下方向に向けて反射するミラーと、
前記ミラーで反射された映像光線が投影されるスクリーンと、
前記スクリーンの背面に配置された筐体とを備えるリアプロジェクション表示装置であって、
前記ミラーは、前記スクリーンと前記筐体とによって保持されることを特徴とするリアプロジェクション表示装置。
【請求項２】
前記ミラーの前記スクリーン側部分は、前記スクリーンの上に載置され、前記ミラーの前記筐体側部分は、前記筐体の上に載置されることを特徴とする請求項１に記載のリアプロジェクション表示装置。
【請求項３】
前記筐体の上端部に、ミラー接触部を備え、
前記スクリーンは、正面側に配置された第１板と、背面側に配置された第２板とを有し、
前記ミラーの前記スクリーン側部分は、前記第２板の上に載置され、前記ミラーの前記筐体側部分は、前記筐体の上に載置され、
前記ミラーは、前記第１板と前記ミラー接触部との間に挟まれることを特徴とする請求項１に記載のリアプロジェクション表示装置。
【請求項４】
前記ミラーの底面と、前記第２板の上端部とは、互いに平行な第１面形状を有し、前記第１面形状部分で面接触し、
前記ミラーの底面と、前記筐体の上端部とは、互いに平行な第２面形状を有し、前記第２面形状部分で面接触することを特徴とする請求項３に記載のリアプロジェクション表示装置。
【請求項５】
前記ミラーの正面と、前記第１板とは、互いに平行な第３面形状を有し、前記第３面形状部分で面接触し、
前記ミラーの背面と、前記ミラー接触部とは、互いに平行な第４面形状を有し、前記第４面形状部分で面接触することを特徴とする請求項３に記載のリアプロジェクション表示装置。
【請求項６】
前記ミラー接触部は、第１、第２部分を有し、
前記第１部分は、前記第４面形状を有し、
前記第２部分は、前記ミラーの上面と、互いに平行な第５面形状を有し、前記第５面形状で面接触することを特徴とする請求項５に記載のリアプロジェクション表示装置。
【請求項７】
前記第１板は、レンチキュラーレンズであり、前記第２板は、フレネルレンズであることを特徴とする請求項３に記載のリアプロジェクション表示装置。
【請求項８】
前記筐体と、前記ミラー接触部とは一体構造であることを特徴とする請求項３に記載のリアプロジェクション表示装置。
【請求項９】
前記筐体の上端部に、前記筐体との間で溝部を形成するミラー接触部を備え、
前記ミラーの背面側部分は前記溝部に係合することにより、前記保持が行われることを特徴とする請求項１に記載のリアプロジェクション表示装置。
【発明の詳細な説明】
【技術分野】
【０００１】
本発明は、リアプロジェクション表示装置に関し、特にスクリーン上方のミラーの保持装置に関する。
【背景技術】
【０００２】
従来、リアプロジェクション表示装置が提案されており、その中で、反射ミラーを保持する保持機構が提案されている。
【０００３】
特許文献１は、ミラー枠などを使って反射ミラーを保持するリアプロジェクション表示装置を開示する。
【特許文献１】特開平０５−３１３２４９号公報
【発明の開示】
【発明が解決しようとする課題】
【０００４】
しかし、ミラー枠のようにミラーを保持する部材が必要であり部品点数が多くなる問題があった。
【０００５】
したがって本発明の目的は、部品点数を多くすることなく、反射ミラーを保持するリアプロジェクション表示装置を提供することである。
【課題を解決するための手段】
【０００６】
本発明に係るリアプロジェクション表示装置は、入射された映像光線を総て斜め下方向に向けて反射するミラーと、ミラーで反射された映像光線が投影されるスクリーンと、スクリーンの背面に配置された筐体とを備え、ミラーは、スクリーンと筐体とによって保持される。
【０００７】
好ましくは、ミラーのスクリーン側部分は、スクリーンの上に載置され、ミラーの筐体側部分は、筐体の上に載置される。
【０００８】
また、好ましくは、筐体の上端部に、ミラー接触部を備え、スクリーンは、正面側に配置された第１板と、背面側に配置された第２板とを有し、ミラーのスクリーン側部分は、第２板の上に載置され、ミラーの筐体側部分は、筐体の上に載置され、ミラーは、第１板とミラー接触部との間に挟まれる。
【０００９】
さらに好ましくは、ミラーの底面と、第２板の上端部とは、互いに平行な第１面形状を有し、第１面形状部分で面接触し、ミラーの底面と、筐体の上端部とは、互いに平行な第２面形状を有し、第２面形状部分で面接触する。
【００１０】
また、好ましくは、ミラーの正面と、第１板とは、互いに平行な第３面形状を有し、第３面形状部分で面接触し、ミラーの背面と、ミラー接触部とは、互いに平行な第４面形状を有し、第４面形状部分で面接触する。
【００１１】
さらに好ましくは、ミラー接触部は、第１、第２部分を有し、第１部分は、第４面形状を有し、第２部分は、ミラーの上面と、互いに平行な第５面形状を有し、第５面形状で面接触する。
【００１２】
また、好ましくは、第１板は、レンチキュラーレンズであり、第２板は、フレネルレンズである。
【００１３】
また、好ましくは、筐体と、ミラー接触部とは一体構造である。
【００１４】
また、好ましくは、筐体の上端部に、筐体との間で溝部を形成するミラー接触部を備え、ミラーの背面側部分は溝部に係合することにより、保持が行われる。
【発明の効果】
【００１５】
以上のように本発明によれば、部品点数を多くすることなく、反射ミラーを保持するリアプロジェクション表示装置を提供することができる。
【発明を実施するための最良の形態】
【００１６】
以下、本実施形態について、図を用いて説明する。本実施形態におけるリアプロジェクション表示装置１０は、ランプ１０ａ、光学エンジン１０ｂ、小型反射ミラー１０ｃ、大型反射ミラー１０ｄ、スクリーン１０ｅ、筐体１０ｈ、蓋部１０ｉ、及びミラー接触部ＭＳを有する（図１〜４参照）。
【００１７】
なお、方向を説明するために、リアプロジェクション表示装置１０においてランプ１０ａから光学エンジン１０ｂに向けて照射される光の方向（水平方向）を第１方向ｘ、第１方向ｘと直交する鉛直方向を第２方向ｙ、第１方向ｘ、第２方向ｙと垂直な水平方向（奥行き方向）を第３方向ｚとして説明する。また、大型反射ミラー１０ｄが取り付けられた状態において、大型反射ミラー１０ｄの反射面に垂直な方向を第２’方向ｙ’、第１方向ｘと第２’方向ｙ’と垂直な方向を第３’方向ｚ’として説明する。
【００１８】
ランプ１０ａは、光源ランプを有し、光学エンジン１０ｂに、光を照射する。光学エンジン１０ｂは、ランプ１０ａから照射された光に基づいて、映像光線を照射するマイクロミラーデバイスであり、映像光線は、その光束の断面積を拡大させながら、小型反射ミラー１０ｃ、及び大型反射ミラー１０ｄを介して、スクリーン１０ｅに拡大投影される。なお、光学エンジン１０ｂは、マイクロミラーデバイスに限られず、透過型液晶、反射型液晶などであってもよい。
【００１９】
小型反射ミラー１０ｃは、光学エンジン１０ｂから照射された映像光線を斜め上方向または上方向に向けて反射する。
【００２０】
大型反射ミラー１０ｄは、正面側が上に、背面側が下になるように斜めに配置され、小型反射ミラー１０ｃから反射された映像光線を総て斜め下方向に向けて反射する。従って、大型反射ミラー１０ｄの映像光線を反射する部分の上端は、スクリーン１０ｅの映像光線が投影される部分の上端よりも上方に位置する関係にある。
【００２１】
スクリーン１０ｅは、半透明の材料から形成されており、光学エンジン１０ｂで形成された映像光線が投影され、スクリーン１０ｅ上に画像が形成される。本実施形態におけるスクリーン１０ｅは、スクリーンの額縁部分（映像が投影されない部分で、蓋部１０ｉに覆われている部分）を含む。
【００２２】
スクリーン１０ｅは、正面側（リアプロジェクション表示装置の観察者側）に第１板１０ｅ１、背面側に第２板１０ｅ２を有する。第１板１０ｅ１は、かまぼこ型の細長い凸レンズを並べた矩形板状のレンズ（レンチキュラーレンズ）板である。第２板１０ｅ２は、矩形板状の集光レンズの１種であるフレネルレンズ板であり、大型反射ミラー１０ｄからの光を効率よくスクリーン１０ｅの正面に居る観察者に集める役割を果たす。また、フレネルレンズは、スクリーン１０ｅの四隅における輝度の低下を改善する役割も果たす。第１、第２板１０ｅ１、１０ｅ２は、第３方向ｚに垂直な矩形を有する板状部材である。
【００２３】
第１板１０ｅ１の上端部は、第２板１０ｅ２の上端部よりも突出した位置関係に設定される。
【００２４】
大型反射ミラー１０ｄの上端部で且つ正面側部分は、第２板１０ｅ２の上に載置され、第１板１０ｅ１の上端部の背面側と接触する。大型反射ミラー１０ｅ１の正面側は、第１、第２板１０ｅ１、１０ｅ２によって保持される。第１、第２板１０ｅ１、１０ｅ２の板厚（第３方向ｚの長さ）は、それぞれ約２ｍｍ程度であるが、スクリーン１０ｅ（第２板１０ｅ２）は、上下方向（第２方向ｙ）の強度が強く、上端部に大型反射ミラー１０ｄを載せても歪むことはなく、歪みにより大型反射ミラー１０ｄがずれることはない。
【００２５】
大型反射ミラー１０ｄは、小型反射ミラー１０ｃから反射された映像光線を総て斜め下方向に向けて反射する形態では、大型反射ミラー１０ｄの映像光線を反射する部分の上端は、スクリーン１０ｅの映像光線が投影される部分の上端よりも上方に位置する関係にあるため、スクリーン１０ｅの上側の額縁部分が大きくなる。スクリーンの額縁部分を小さくするには、大型反射ミラー１０ｄをスクリーン１０ｅに出来るだけ近づける必要があるが、本実施形態では、スクリーン１０ｅを構成する第２板１０ｅ２に大型反射ミラー１０ｄの上端部を直接載せ、第１板１０ｅ１に接触させることで、大型反射ミラー１０ｄをスクリーン１０ｅに最も近づけることが可能になり、スクリーンの額縁部分を少なくすることが可能になる（本実施形態に係る図１〜４を図５〜８と比較参照）。図５〜８は、正面側のスクリーン１０ｅと背面側の筐体１０ｈとの間に大型反射ミラー１０ｄを保持するミラー保持部材を設けた従来の形態を示す（額縁部分が大きい）。
【００２６】
リアプロジェクション表示装置１０の背面に配置された筐体１０ｈは、第３方向ｚに垂直な矩形板状部材であり、上端部に大型反射ミラー１０ｄの下端部で且つ背面側部分が接触するミラー接触部ＭＳが構成される。筐体１０ｈとミラー接触部ＭＳは別体構造でもよいし、一体構造であってもよい。
【００２７】
ミラー接触部ＭＳは、第１方向ｘから見て第２’方向ｙ’に突出した第１部分ＭＳ１と、第３’方向ｚ’に突出した第２部分ＭＳ２を有するＬ字形状の部材で、筐体１０ｈの上端部と、ミラー接触部ＭＳとで、溝部を形成する。溝部は、大型反射ミラー１０ｄがリアプロジェクション表示装置１０に取り付けられた時の大型反射ミラー１０ｄの傾斜角（第１方向ｘから見たｙｚ平面上の傾き）に合わせた形状（第１方向ｘから見て背面側から正面側に向けて斜め上方向に傾斜した形状）を有し、大型反射ミラー１０ｄの背面側部分と係合し、大型反射ミラー１０ｄの位置決め及び保持の役割を果たす。第２方向ｙで且つ下向きの位置決めは、第２板１０ｅ２、筐体１０ｈ、及び第１部分ＭＳ１によって行われ、第３方向ｚの位置決めは、第１板１０ｅ１と第１部分ＭＳ１によって行われる。第２部分ＭＳ２は、第２’方向ｙ’で且つ上方から、大型反射ミラー１０ｄの背面側の上側部分のずれを押さえる役割を果たす。
【００２８】
蓋部１０ｉは、リアプロジェクション表示装置１０の上面で且つスクリーン側から、スクリーン１０ｅの正面上端部にかけて配置された部材で、大型反射ミラー１０ｄの上面のスクリーン側と、第１板１０ｅ１の上端部と正面上端部とが接触する。蓋部１０ｉのスクリーン１０ｅの正面上端部を覆う部分は、リアプロジェクション表示装置１０の額縁を形成する。蓋部１０ｉは、第２方向ｙで且つ上方から、大型反射ミラー１０ｄの正面側の上側部分のずれを押さえる役割を果たす。
【００２９】
大型反射ミラー１０ｄは、筐体１０ｈと第２板１０ｅ２の上に載置され、第１部分ＭＳ１と、第１板１０ｅ１とによって挟まれ、これにより大型反射ミラー１０ｄは、スクリーン１０ｅ、筐体１０ｈ、及びミラー接触部ＭＳとによって保持される。また、大型反射ミラー１０ｄの筐体側部分は、第２部分ＭＳ２と筐体１０ｈとの間に挟まれ、スクリーン側部分は、蓋部１０ｉと第２板１０ｅ２との間に挟まれる。
【００３０】
大型反射ミラー１０ｄの底面のスクリーン側部分と、第２板１０ｅ２の上端部とは、互いに平行で第２’方向ｙ’と垂直な第１面形状を有し、第１面形状部分で面接触するのが望ましい。この場合、第２板１０ｅ２の側面は、第１方向ｘから見て、背面側の上底部分が、正面側の下底部分よりも短い台形形状を有する。
【００３１】
大型反射ミラー１０ｄの底面の筐体側部分と、筐体１０ｈの上端部とは、互いに平行で第２’方向ｙ’と垂直な第２面形状を有し、第２面形状部分で面接触するのが望ましい。この場合、筐体１０ｈの側面は、第１方向ｘから見て、背面側の上底部分が、正面側の下底部分よりも短い台形形状を有する。
【００３２】
大型反射ミラー１０ｄの正面と、第１板１０ｅ１とは、互いに平行で第３方向ｚと垂直な第３面形状を有し、第３面形状部分で面接触するのが望ましい。この場合、大型反射ミラー１０ｄの側面は、第１方向ｘから見て、第２’方向ｙ’に垂直な上底部分が、第２’方向ｙ’に垂直で且つ第２板１０ｅ２及び筐体１０ｈと接触する下底部分よりも長い台形形状を有する。
【００３３】
大型反射ミラー１０ｄの背面と、ミラー接触部ＭＳの第１部分ＭＳ１とは、互いに平行で第３’方向ｚ’と垂直な第４面形状を有し、第４面形状部分で面接触するのが望ましい。
【００３４】
大型反射ミラー１０ｄの上面の筐体側部分と、ミラー接触部ＭＳの第２部分ＭＳ２とは、互いに平行で第２’方向ｙ’と垂直な第５面形状を有し、第５面形状部分で面接触するのが望ましい。
【００３５】
大型反射ミラー１０ｄの、筐体１０ｈ側（背面側）は、溝部にはめ込み、スクリーン１０ｅ側（正面側）は、第２板１０ｅ２に載せることにより、保持される。大型反射ミラー１０ｄの上は、蓋部１０ｉに覆われる。これにより、正面側のスクリーン１０ｅと背面側の筐体１０ｈとの間に大型反射ミラー１０ｄを保持するミラー保持部材を設けた形態に比べて、大型反射ミラー１０ｄの保持形態を簡素化でき、大型反射ミラーの保持に関する部品点数を少なくすることが可能になる（図５〜８参照、特許文献１参照）。
【００３６】
なお、正面側のスクリーン１０ｅと背面側の筐体１０ｈとの間をつなぐ部分に大型反射ミラー１０ｄを保持するミラー保持部材を設けた形態においても、本実施形態におけるリアプロジェクション表示装置１０と同じ役割の部材については、同じ番号を記す。
【００３７】
本実施形態では、ミラー接触部ＭＳを、第１部分ＭＳ１と第２部分ＭＳ２を有する形態を説明したが、第２部分ＭＳ２を有しない形態であっても、大型反射ミラー１０ｄを保持することは可能である（図９参照）。
【図面の簡単な説明】
【００３８】
【図１】本実施形態におけるリアプロジェクション表示装置の正面図である。
【図２】本実施形態におけるリアプロジェクション表示装置の側面図である。
【図３】本実施形態におけるリアプロジェクション表示装置の大型反射ミラーの保持を行う部分の側面図である。
【図４】本実施形態におけるリアプロジェクション表示装置の大型反射ミラーの保持を行う部分の拡大側面図である。
【図５】スクリーンと筐体との間をつなぐ部分に大型反射ミラーを保持するミラー保持部材を設けた形態の正面図である。
【図６】スクリーンと筐体との間をつなぐ部分に大型反射ミラーを保持するミラー保持部材を設けた形態の側面図である。
【図７】スクリーンと筐体との間をつなぐ部分に大型反射ミラーを保持するミラー保持部材を設けた形態の、大型反射ミラーの保持を行う部分の側面図である。
【図８】スクリーンと筐体との間をつなぐ部分に大型反射ミラーを保持するミラー保持部材を設けた形態の、大型反射ミラーの保持を行う部分の拡大側面図である。
【図９】本実施形態におけるリアプロジェクション表示装置の大型反射ミラーの保持を行う部分の拡大側面図であって、第２部分を有しない形態を示す。
【符号の説明】
【００３９】
１０  リアプロジェクション表示装置
１０ａ  ランプ
１０ｂ  光学エンジン
１０ｃ  小型反射ミラー
１０ｄ  大型反射ミラー
１０ｅ  スクリーン
１０ｅ１、１０ｅ２  第１、第２板
１０ｈ  筐体
１０ｉ  蓋部
ＭＳ  ミラー接触部
ＭＳ１、ＭＳ２  第１、第２部分
【図１】
2007316464.tif 000003
【図２】
2007316464.tif 000004
【図３】
2007316464.tif 000005
【図４】
2007316464.tif 000006
【図５】
2007316464.tif 000007
【図６】
2007316464.tif 000008
【図７】
2007316464.tif 000009
【図８】
2007316464.tif 000010
【図９】
2007316464.tif 000011